(57)【要約】      （修正有）【課題】手間のかからない小型の装置で容易にゴムホースに弾性プロテクターを装着することができるプロテクター付ゴムホースの製造方法とその装置を提供することである。【解決手段】加硫成形されたゴムホースの外周に、円筒状の弾性プロテクターを装着するために、ゴムホースの外径よりも若干小さい内径を有するプロテクターの一方の端をプロテクター組付機に取付け、ゴムホースにホース挿入治具を挿入して、プロテクター組付機から空気を噴出し、ゴムホースとプロテクターとの間に空気を吹き込んでプロテクターを拡径しつつ、ゴムホースをホース挿入治具とともにプロテクターに挿入するプロテクター付ゴムホースの製造方法とその装置である。【選択図】図１
2005118999.tif 000002
【特許請求の範囲】
【請求項１】
加硫成形されたゴムホースの外周に、円筒状の弾性プロテクターを装着するプロテクター付ゴムホースの製造方法において、
上記ゴムホースの外径よりも若干小さい内径を有する上記弾性プロテクターの一方の端をプロテクター組付機に取付け、
上記ゴムホースにホース挿入治具を挿入して、上記プロテクター組付機から空気を噴出し、上記ゴムホースと上記弾性プロテクターとの間に空気を吹き込んで上記弾性プロテクターを拡径しつつ、上記ゴムホースを上記ホース挿入治具とともに上記弾性プロテクターに挿入することを特徴とするプロテクター付ゴムホースの製造方法。
【請求項２】
プロテクター組付機を使用して、加硫成形されたゴムホースの外周に、筒状の弾性プロテクターを装着するプロテクター付ゴムホースの製造方法において、
上記プロテクター組付機は、中央部に上記ホースの外径と同じか又は若干大きい内径を有する断面円形の一方の端から他方の端まで貫通するホース挿入路を設け、該ホース挿入路の一方の端に上記弾性プロテクターを取り付けるプロテクター取付部を設け、上記ホース挿入路の他方の端にホース挿入口を設け、上記ホース挿入路の中央付近に空気噴出し部を設け、
上記ゴムホースの外径よりも若干小さい内径を有する円筒状の上記弾性プロテクターの一方の端を上記プロテクター組付機のプロテクター取付部に取付け、
上記ゴムホースにホース挿入治具を挿入して、上記ゴムホースを上記ホース挿入治具とともに上記プロテクター組付機のホース挿入口から挿入し、上記空気噴出し部から空気を噴出しつつ、上記ゴムホースを上記弾性プロテクター内に進入させ、挿入終了時に空気の噴出を止め、プロテクター付ゴムホースを上記プロテクター組付機から取り外すことを特徴とするプロテクター付ゴムホースの製造方法。
【請求項３】
該ホース挿入治具は、該ホース挿入治具を持つ手持部と、ゴムホース内部に挿入されるホース内挿入部を有し、手持部の端面は、ホース挿入口に取付けられたスペーサーと当接して、ゴムホース挿入寸法を制御する請求項２記載のプロテクター付ゴムホースの製造方法。
【請求項４】
プロテクター組付機を使用して、加硫成形されたゴムホースの外周に、筒状の弾性プロテクターを装着するプロテクター付ゴムホースの製造方法において、
プロテクター組付機は、中央部に断面円形の挿入穴を有し、該挿入穴は、底部と、上記挿入穴の奥側であって内径がゴムホース外径と略同じか又は若干大きいホース挿入部と、上記挿入穴の入り口側であって内径が弾性プロテクターの外径と略同じか又は若干大きいプロテクター挿入部からなり、
上記ゴムホースの外径よりも若干小さい内径を有する上記弾性プロテクターの一方の端を上記プロテクター組付機のプロテクター挿入部に挿入し、
上記ゴムホースにホース挿入治具を挿入して上記ゴムホースを上記ホース挿入治具とともに上記弾性プロテクターの他方の端から挿入し、上記挿入穴から空気を噴出しつつ、上記ゴムホースを上記弾性プロテクターに挿入し、挿入終了の少し前に空気の噴出圧力を低下し、挿入終了時に空気の噴出しを止め、プロテクター付ゴムホースを上記プロテクター組付機から取り外すことを特徴とするプロテクター付ゴムホースの製造方法。
【請求項５】
該ホース挿入治具は、上記ゴムホースの先端が取付けられ、上記ゴムホースの外径と同じか又は若干大きい外径を有するホース端取付頭部と、ゴムホース内部に挿入されるホース内挿入部を有し、上記ゴムホースと上記ホース挿入治具を上記ホース端取付頭部の側から、上記弾性プロテクターの他方の端に挿入し、挿入終了の少し前に、所定の位置で上記ホース端取付頭部の位置を感知して空気の噴出圧力を低下させ、上記ホース端取付頭部が上記挿入穴の底部に達したときに空気の噴出を止める請求項４記載のプロテクター付ゴムホースの製造方法。
【請求項６】
加硫成形されたゴムホースの外周に、筒状の弾性プロテクターを装着するプロテクター付ゴムホースの製造装置において、
上記プロテクター付ゴムホースの製造装置は、プロテクター組付機とホース挿入治具からなり、
上記プロテクター組付機は、中央部に上記ホース外径と同じか又は若干大きい内径を有する断面円形の一方の端から他方の端まで貫通するホース挿入路を設け、該ホース挿入路の一方の端に上記プロテクターを取り付けるプロテクター取付部を設け、上記ホース挿入路の他方の端にホース挿入口を設け、上記ホース挿入路の中央付近に空気噴出し部を設け、
ホース挿入治具は、手持部とホース内挿入部からなり、該手持部は、ゴムホース外径より若干大きい外径を有し、上記手持部の端面までゴムホースの先端を挿入可能とし、上記ホース内挿入部を挿入するゴムホースよりも長く形成し、上記ホース挿入治具とゴムホースを弾性プロテクターに挿入可能に形成したプロテクター付ゴムホースの製造装置。
【請求項７】
上記ホース挿入口に、ホース挿入長さを制御するスペーサーを取付けるスペーサー取付部を設けた、請求項６に記載のプロテクター付ゴムホースの製造装置。
【請求項８】
加硫成形されたゴムホースの外周に、筒状の弾性プロテクターを装着するプロテクター付ゴムホースの製造装置において、
上記プロテクター付ゴムホースの製造装置は、プロテクター組付機とホース挿入治具からなり、
上記プロテクター組付機は、中央部に断面円形の挿入穴を有し、該挿入穴は、底部と、奥側の内径がホース外径と略同じか又は若干大きいホース挿入部と、入り口側の内径が弾性プロテクターの外径と略同じか又は若干大きいプロテクター挿入部からなり、該底部には空気吹込口を設け、
上記ホース挿入治具は、ホース端取付頭部とホース内挿入部からなり、該ホース端取付頭部は、ゴムホース外径と同じか又は若干大きい外径を有する第１頭部と、ゴムホース内径と同じか又は若干大きい外径を有する第２頭部を有し、上記第２頭部にゴムホースの先端を挿入し、上記ホース内挿入部を挿入するゴムホースよりも長く形成し、上記ホース挿入治具とゴムホースを弾性プロテクターに挿入可能に形成したプロテクター付ゴムホースの製造装置。
【請求項９】
上記挿入穴のホース挿入部とプロテクター挿入部の間に感知スイッチを設け、該感知スイッチを上記ホース端取付頭部が通過したときに、上記空気吹込口から噴出す空気の圧力を低下させる請求項８に記載のプロテクター付ゴムホースの製造装置。
【発明の詳細な説明】
【技術分野】
【０００１】
本発明は、ゴムホースの外周に保護等のため弾性プロテクターを取り付けたプロテクター付ゴムホースの製造方法およびその装置に関するものである。
【背景技術】
【０００２】
従来、直線状のゴムホースは、押出成形により長尺状に成形された後、加硫されて、所定寸法に裁断される。曲がり部を有するゴムホースは、押出成形により長尺状に成形された後所定寸法に裁断された後に、曲がり形状に形成されるとともに加硫される。このようなゴムホースの外周に、磨耗防止、傷つき防止、保温等の目的のために、筒状の弾性プロテクターを取付けている場合がある。
【０００３】
この弾性プロテクターの取付けは、例えば、取付けを容易にするため弾性プロテクターの内径を取付けるゴムホースの外径よりも大きく形成している。そして、弾性プロテクターにゴムホースを挿入した後に、接着剤等でゴムホースに弾性プロテクターを固着している。この場合は、接着作業が手間がかかるばかりでなく、接着剤がはみ出して見栄えがよくない場合があった。また、曲がり部を有するゴムホースは、弾性プロテクターの内径が若干大きくても、曲がり部で弾性プロテクターが摩擦して挿入に手間取る場合があった。
【０００４】
接着作業を省略するためには、弾性プロテクターの内径をゴムホースの外径よりも小さくして、弾性プロテクターの弾力性でゴムホースを保持することが考えられるが、ゴムホースを挿入するときに弾性プロテクターを拡径しなければならず、拡径に特別な装置が必要であったり、手間がかかったり、熟練が必要であった。例えば、弾性プロテクターを多数の穴のあいたパイプ内に挿入して、そのパイプの外側から真空引きして、パイプの内壁に弾性プロテクターを吸着させて、弾性プロテクターを拡径して、弾性プロテクター内にゴムホースを挿入して、その後真空引きをとめて弾性プロテクターをゴムホースに取付けるものもある（例えば、特許文献１参照。）。この場合は、弾性プロテクターを拡径する装置が大型となり、複雑で高価なものとなっていた。
【０００５】
また、未加硫の弾性プロテクターをゴムホースに装着して加硫接着することも考えられているが、加硫工程が複雑となり、好ましくなかった。
【特許文献１】特開平７−１９５５１６号公報（第３−４頁、第１図）
【発明の開示】
【発明が解決しようとする課題】
【０００６】
そこで本発明は、上記問題を解決するために、手間がかからず、小型の装置で容易にゴムホースに弾性プロテクターを装着することができるプロテクター付ゴムホースの製造方法とその装置を提供することを課題としている。
【課題を解決するための手段】
【０００７】
上記課題を解決するために請求項１の本発明は、加硫成形されたゴムホースの外周に、円筒状の弾性プロテクターを装着するプロテクター付ゴムホースの製造方法において、
ゴムホースの外径よりも若干小さい内径を有する弾性プロテクターの一方の端をプロテクター組付機に取付け、ゴムホースにホース挿入治具を挿入して、プロテクター組付機から空気を噴出し、ゴムホースと弾性プロテクターとの間に空気を吹き込んで弾性プロテクターを拡径しつつ、ゴムホースをホース挿入治具とともに弾性プロテクターに挿入することを特徴とするプロテクター付ゴムホースの製造方法である。
【０００８】
請求項１の本発明では、ゴムホースの外径よりも若干小さい内径を有する弾性プロテクターの一方の端をプロテクター組付機に取付けゴムホースにホース挿入治具を挿入して、プロテクター組付機から空気を噴出し、ゴムホースと弾性プロテクターとの間に空気を吹き込んだため、空気の吹込みが容易であり、熟練を要しない。プロテクターを拡径しつつ、ゴムホースをホース挿入治具とともにプロテクターに挿入したため、空気により弾性プロテクターを拡径することができ、弾性プロテクターを傷つけることがなく、直線状のゴムホースも曲がり部を有するゴムホースも、ホース挿入治具により略直線状に矯正してゴムホースを確実に弾性プロテクターに挿入することができる。
【０００９】
課題を解決するために請求項２の本発明は、プロテクター組付機を使用して、加硫成形されたゴムホースの外周に、筒状の弾性プロテクターを装着するプロテクター付ゴムホースの製造方法において、プロテクター組付機は、中央部にホースの外径と同じか又は若干大きい内径を有する断面円形の一方の端から他方の端まで貫通するホース挿入路を設け、ホース挿入路の一方の端に弾性プロテクターを取り付けるプロテクター取付部を設け、ホース挿入路の他方の端にホース挿入口を設け、ホース挿入路の中央付近に空気噴出し部を設け、ゴムホースの外径よりも若干小さい内径を有する円筒状の弾性プロテクターの一方の端をプロテクター組付機のプロテクター取付部に取付け、ゴムホースにホース挿入治具を挿入してゴムホースをホース挿入治具とともにプロテクター組付機のホース挿入口から挿入し、空気噴出し部から空気を噴出しつつ、ゴムホースを弾性プロテクターに挿入し、挿入終了時に空気の噴出しを止め、プロテクター付ゴムホースをプロテクター組付機から取り外すことを特徴とするプロテクター付ゴムホースの製造方法である。
【００１０】
請求項２の本発明では、ゴムホースの外径よりも若干小さい内径を有する円筒状の弾性プロテクターの一方の端をプロテクター組付機のプロテクター取付部に取付け、ゴムホースにホース挿入治具を挿入してゴムホースをホース挿入治具とともにプロテクター組付機のホース挿入口から挿入し、空気噴出し部から空気を噴出しつつ、ゴムホースを弾性プロテクターに挿入したため、ホース挿入路の一方の端に設けた弾性プロテクターに、ホース挿入口からホース挿入路を通って、ゴムホースを挿入するとともに弾性プロテクターとゴムホースの間に空気を吹き込んで、弾性プロテクターを拡径して、ゴムホースをスムースに挿入することができる。特に、直線状のゴムホースは、ホース挿入路を通過しやすく、弾性プロテクターを取り付けやすい。また、挿入終了時に空気の噴出しを止めたため、弾性プロテクターがゴムホースを把持して、プロテクター付ゴムホースをプロテクター組付機から容易に取り外すことができる。
【００１１】
上記課題を解決するために請求項３の本発明は、ホース挿入治具は、ゴムホース挿入治具を持つ手持部と、ゴムホース内部に挿入されるホース内挿入部を有し、手持部の端面は、ホース挿入口に取付けられたスペーサーと当接して、ゴムホース挿入寸法を制御するプロテクター付ゴムホースの製造方法である。
【００１２】
請求項３の本発明では、手持部の端面は、ホース挿入口に取付けられたスペーサーと当接して、ゴムホース挿入寸法を制御することができるため、ゴムホースにホース挿入治具を挿入して、スペーサーに当接するまでゴムホースとホース挿入治具をプロテクター組付機に挿入するのみで、弾性プロテクターにゴムホースを適切な位置まで確実に挿入することができる。
【００１３】
上記課題を解決するために請求項４の本発明は、プロテクター組付機を使用して、加硫成形されたゴムホースの外周に、筒状の弾性プロテクターを装着するプロテクター付ゴムホースの製造方法において、プロテクター組付機は、中央部に断面円形の挿入穴を有し、挿入穴は、底部と、挿入穴の奥側であって内径がゴムホース外径と略同じか又は若干大きいホース挿入部と、挿入穴の入り口側であって内径がプロテクターの外径と略同じか又は若干大きいプロテクター挿入部からなり、ゴムホースの外径よりも若干小さい内径を有する弾性プロテクターの一方の端をプロテクター組付機のプロテクター挿入部に挿入し、ゴムホースにホース挿入治具を挿入してゴムホースをホース挿入治具とともに弾性プロテクターの他方の端から挿入し、挿入穴から空気を噴出しつつ、ゴムホースを弾性プロテクター内に進入させ、挿入終了の少し前に空気の噴出圧力を低下し、挿入終了時に空気の噴出しを止め、プロテクター付ゴムホースをプロテクター組付機から取り外すことを特徴とするプロテクター付ゴムホースの製造方法である。
【００１４】
請求項４の本発明では、ゴムホースの外径よりも若干小さい内径を有する弾性プロテクターの一方の端をプロテクター組付機のプロテクター挿入部に挿入し、ゴムホースにホース挿入治具を挿入してゴムホースをホース挿入治具とともに弾性プロテクターの他方の端から挿入し、挿入穴から空気を噴出しつつ、ゴムホースを弾性プロテクターに挿入したため、弾性プロテクターに空気を噴出させて拡径しつつゴムホースを容易に挿入することができる。このとき、弾性プロテクターは空気により拡径されて、プロテクター挿入部に保持されて抜けることがない。
【００１５】
挿入終了の少し前に空気の噴出圧力を低下させ、挿入終了時に空気の噴出しを止め、弾性プロテクターがゴムホースを把持して、プロテクター付ゴムホースをプロテクター組付機から取り外すようにしたため、挿入終了の少し前に空気による抵抗を下げてゴムホースを挿入穴の奥まで挿入しやすくして、取り外し時に弾性プロテクターがゴムホースを強固に把持することができる。
【００１６】
上記課題を解決するために請求項５の本発明は、ホース挿入治具は、ゴムホースの先端が取付けられ、ゴムホースの外径と同じか又は若干大きい外径を有するホース端取付頭部と、ゴムホース内部に挿入されるホース内挿入部を有し、ゴムホースとホース挿入治具をホース端取付頭部の側から、弾性プロテクターの他方の端に挿入し、挿入終了の少し前に、所定の位置でホース端取付頭部の位置を感知して空気の噴出圧力を低下させ、ホース端取付頭部が挿入穴の底部に達したときに空気の噴出を止めるプロテクター付ゴムホースの製造方法である。
【００１７】
請求項５の本発明では、ゴムホースとホース挿入治具をホース端取付頭部の側から、プロテクターの他方の端に挿入したため、ホース内挿入部で曲がり部を矯正しつつ、ホース端取付頭部が先に弾性プロテクターの内部へ進入して、曲がり部を有するホースでも挿入しやすい。また、挿入終了の少し前に、所定の位置でホース端取付頭部の位置を感知して空気の噴出圧力を低下したため、空気の反発力を低下させることができ、ホース端取付頭部を挿入穴の底部まで容易に挿入することができる。
【００１８】
上記課題を解決するために請求項６の本発明は、加硫成形されたゴムホースの外周に、筒状の弾性プロテクターを装着するプロテクター付ゴムホースの製造装置において、プロテクター付ゴムホースの製造装置は、プロテクター組付機とホース挿入治具からなり、プロテクター組付機は、中央部にホース外径と同じか又は若干大きい内径を有する断面円形の一方の端から他方の端まで貫通するホース挿入路を設け、ホース挿入路の一方の端にプロテクターを取り付けるプロテクター取付部を有し、ホース挿入路の他方の端にホース挿入口を設け、ホース挿入路の中央付近に空気噴出し部を設け、ホース挿入治具は、手持部とホース内挿入部からなり、持部は、ゴムホース外径より若干大きい外径を有し、手持部の端面までゴムホースの先端を挿入可能とし、ホース内挿入部を挿入してゴムホースよりも長く形成し、ホース挿入治具とゴムホースを弾性プロテクターに挿入可能に形成したプロテクター付ゴムホースの製造装置である。
【００１９】
請求項６の本発明では、プロテクター付ゴムホースの製造装置は、プロテクター組付機とホース挿入治具からなり、構造が簡単で小型の装置である。
【００２０】
プロテクター組付機は、中央部にホース挿入路を設け、ホース挿入路の一方の端にプロテクター取付部を有し、ホース挿入路の他方の端にホース挿入口を設け、ホース挿入路の中央付近に空気噴出し部を設けたため、ホース挿入路の部分に集中して各機能を設けることができ、装置を小型で、簡単な構造とすることができる。
【００２１】
ホース挿入治具は、手持部とホース内挿入部からなり、手持部の端面に、ゴムホースの先端を当接させ、ホース内挿入部をゴムホースに挿入して、ホース挿入治具とゴムホースを一緒にプ弾性ロテクターに挿入できる。これによって、ゴムホースとホース挿入治具を一緒に弾性プロテクターに挿入するのみで、弾性プロテクターの装着を容易に行うことができる。
【００２２】
上記課題を解決するために請求項７の本発明は、ホース挿入口に、ホース挿入長さを制御するスペーサーを取付けるスペーサー取付部を設けたプロテクター付ゴムホースの製造装置である。
【００２３】
請求項７の本発明では、ホース挿入口に、ホース挿入長さを制御するスペーサーをとりつけるスペーサー取付部を設けたため、スペーサーを交換するのみでホース挿入長さを、容易に変えることができる。
【００２４】
上記課題を解決するために請求項８の本発明は、加硫成形されたゴムホースの外周に、筒状の弾性プロテクターを装着するプロテクター付ゴムホースの製造装置において、プロテクター付ゴムホースの製造装置は、プロテクター組付機とホース挿入治具からなり、プロテクター組付機は、中央部に断面円形の挿入穴を有し、挿入穴は、底部と、奥側の内径がホース外径と略同じか又は若干大きいホース挿入部と、入り口側の内径が弾性プロテクターの外径と略同じか又は若干大きいプロテクター挿入部からなり、底部には空気吹込口を設け、ホース挿入治具は、ホース端取付頭部とホース内挿入部からなり、ホース端取付頭部は、ゴムホース外径と同じか又は若干大きい外径を有する第１頭部と、ゴムホース内径と同じか又は若干大きい外径を有する第２頭部を有し、第２頭部にゴムホースの先端を挿入し、ホース内挿入部を挿入するゴムホースよりも長く形成し、ホース挿入治具とゴムホースを弾性プロテクターに挿入可能に形成したプロテクター付ゴムホースの製造装置の製造装置である。
【００２５】
請求項８の本発明では、プロテクター組付機は、中央部に断面円形の挿入穴を有し、挿入穴は、底部と、ホース挿入部と、プロテクター挿入部からなり、プロテクターの一方の端をプロテクター挿入部に挿入し、底部には空気吹込口を設けたため、挿入穴の内径をゴムホースと弾性プロテクターのそれぞれの外径に合わせることにより、弾性プロテクターの保持とゴムホースの挿入をすることができ、装置が小型で、簡単な構造とすることができる。ホース挿入治具は、ホース端取付頭部とホース内挿入部からなり、ホース端取付頭部は、第１頭部と第２頭部を設けたため、ゴムホースの保持と弾性プロテクターへの挿入が容易である。このホース挿入治具とゴムホースを弾性プロテクターの中を経由してプロテクター組付機の挿入穴に挿入するのみで、弾性プロテクターの装着が容易にできる。
【００２６】
上記課題を解決するために請求項９の本発明は、挿入穴のホース挿入部とプロテクター挿入部の間に感知スイッチを設け、感知スイッチをホース端取付頭部が通過したときに、空気吹込口から噴出す空気の圧力を低下させるプロテクター付ゴムホースの製造装置である。
【００２７】
請求項９の本発明では、挿入穴のホース挿入部とプロテクター挿入部の間に感知スイッチを設けたため、弾性プロテクターにゴムホースの挿入をするときに、自動的に空気の圧力を調整することができる。
【発明の効果】
【００２８】
本発明は、プロテクター組付機とホース挿入治具を使用してゴムホースと弾性プロテクターの間に空気を吹き込んで、ゴムホースに弾性プロテクターを装着したため、容易に寸法精度良く装着することができるプロテクター付ゴムホースの製造方法およびその装置である。
【発明を実施するための最良の形態】
【００２９】
本発明について、図面に基づき実施の形態を説明する。
【００３０】
図１は、本発明の実施の形態を示すプロテクター組付機の要部の断面図である。図１の実施の形態は、主に例えば図５に示すような直線状のゴムホース１に使用することができる。プロテクター組付機１０は、略肉厚の円筒状をなし、中心部には断面円形のホース挿入路１２が設けられている。ホース挿入路１２の内径は、ゴムホース１の外径と略同じか、あるいは若干大きく形成されている。プロテクター組付機１０は、略肉厚の円筒状ばかりでなく、断面が四角形のブロック状でもよく、そのブロック状の内部にホース挿入路１２を設けることができればよい。
【００３１】
ホース挿入路１２の一方の端には、プロテクター取付部１１が設けられている。本実施の形態では、ホース挿入路１２の一方の出口の周囲に断面が三角に尖った形状で形成された環状の突起である。このプロテクター取付部１１に弾性プロテクター２の先端を嵌め込むことができ、これにより、弾性プロテクター２をプロテクター組付機１０に取付けることができる。
【００３２】
ホース挿入路１２の他方の端は、ホース挿入路１２の他方の出口であるホース挿入口１６である。ホース挿入口１６に隣接して、スペーサー取付部１４が取付けられている。スペーサー取付部１４は、短い略半円筒状に形成され、ホース挿入口１６の下半分の部分に取付けられている。その中心にホース挿入口１６と略同じ内径の穴が設けられゴムホース１が挿入可能になっている。スペーサー取付部１４の内面にスペーサー１５の先端部１５ａを嵌め込んでスペーサー１５を取付ける凹溝状の嵌め込み凹部１４ａが設けられている。
【００３３】
スペーサー１５は、円筒状に形成され、先端部１５ａと先端部に隣接して外面の全周にわたり嵌め込み溝部１５ｂが設けられている。スペーサー１５の内周はゴムホース１が挿入可能になっており、内径は、ホース挿入路１２の内径と同じである。このスペーサー１５の円筒の長さによって後述するように、ゴムホース１への弾性プロテクター２の装着位置が定められる。
【００３４】
プロテクター組付機１０のホース挿入路１２の略中央の内面の全周にわたり溝状の空気噴出し部１３が設けられている。この空気噴出し部１３にはエアコンプレッサー（図示せず）から圧縮空気を送る空気送風路１３ａが連通している。
【００３５】
図２は、ホース挿入治具２０の要部の平面図である。ホース挿入治具２０は、ホース内挿入部２１と手持部２２からなる。ホース内挿入部２１は、外径がゴムホース１の内径よりも小さい断面円形の金属棒であり、ゴムホース１の内部に挿入される。ホース内挿入部２１に連続して手持部２２が設けられている。手持部２２は、その外径がゴムホース１の外径よりも大きく形成されており、ホース内挿入部２１との連続部は、直角に変化し、手持部端面２３を形成している。
【００３６】
ゴムホース１に弾性プロテクター２を装着するには、まず上述のようにプロテクター組付機１０のプロテクター取付部１１に弾性プロテクター２の端部を挿入して取り付ける。次に、ホース挿入治具２０にゴムホース１を取付ける。ホース挿入治具２０のホース内挿入部２１の先端にゴムホース１を挿入して、ゴムホース１の先端を手持部端面２３に当接するまで挿入する。
【００３７】
次に、ゴムホース１はホース挿入治具２０とともにプロテクター組付機１０のスペーサー１５の上を通り、ホース挿入口１６から挿入される。ゴムホース１とホース挿入治具２０はホース内挿入部２１の先端方向から挿入され、ホース内挿入部２１の先端とゴムホース１の先端がホース挿入口１６を通り、ホース挿入路１２の中を進み、空気噴出し部１３を通過して弾性プロテクター２の先端付近に達する。そのとき、空気噴出し部１３から噴出された空気は、ゴムホース１と弾性プロテクター２の間に入り、弾性プロテクター２を拡径する。ホース挿入口１６とゴムホース１の外径の間にはほとんど隙間がなく、ホース挿入路１２とゴムホース１の間には若干隙間があるためである。
【００３８】
拡径された弾性プロテクター２の中をゴムホース１がスムースに挿入され、ホース挿入治具２０の手持部端面２３がスペーサー１５の端面に当接し、挿入が完了する。挿入が完了した時点で、空気の噴出しを止め、ゴムホース１と弾性プロテクター２をプロテクター組付機１０から取り外すとともに、ホース挿入治具２０をホース挿入口１６から引き抜く。このとき、弾性プロテクター２の内径は、ゴムホース１の外径より小さいため、弾性プロテクター２がゴムホース１を強く把持して、ずれることなく装着される。この装着された状態を図５に示す。このスペーサー１５の長さを変化させることにより弾性プロテクター２をゴムホース１に装着する位置を確実に管理することができる。即ち、ホース挿入治具２０の手持部端面２４までゴムホース１を挿入し、ホース挿入治具２０をスペーサー１５の当接するまで押し込むことのみによって確実に所定の位置に弾性プロテクター２を装着でき、作業が素早く、容易である。
【００３９】
図３は、本発明の実施の他の形態を示すプロテクター組付機の要部の断面図である。図３の実施の形態は、主に図６に示すような曲がり部を有するゴムホース１に使用することができる。プロテクター組付機３０は、略肉厚の円柱状をなし、中心部には断面円形の穴である挿入穴３１が設けられている。挿入穴３１は、底部３２があり、図１の実施の形態と異なり、貫通はしていない。挿入穴３１は断面円形の穴であり、２つの部分からなり、奥側がホース挿入部３１ａで入り口側がプロテクター挿入部３１ｂである。底部には空気を挿入穴３１に吹き込む空気吹込口３３が設けられている。
【００４０】
ホース挿入部３１ａは、底部３２から半分程度の長さまで設けられており、その内径はゴムホース１の外径及び後述するホース挿入治具４０のホース端取付頭部４２の外径よりも若干大きく形成されている。挿入穴３１の略中央にはリミットスイッチ３４が設けられている。リミットスイッチ３４よりも出口側にはプロテクター挿入部３１ｂが設けられている。プロテクター挿入部３１ｂの内径は、弾性プロテクター２の外径と同じか又は若干大きく形成されている。
【００４１】
図４は、ホース挿入治具４０の要部の平面図である。ホース挿入治具４０は、ホース内挿入部４１、ホース端取付頭部２２から成る。ホース内挿入部４１は、外径がゴムホース１の内径よりも小さい断面円形の金属棒であり、ゴムホース１の内部に挿入される。ホース内挿入部４１に連続してホース端取付頭部４２が設けられている。ホース端取付頭部４２は、先端側から第１頭部４３と第２頭部４４からなる。第２頭部４４は、外径がゴムホース１の内径と略同じか又は若干大きく形成され、ホース内挿入部４１との連続部は外径が徐々に変化するように斜面に形成されている。第１頭部４３は、第２頭部４４に連続して形成され、第２頭部４４との連続部は直角に変化している。第１頭部４３の外径は、ゴムホース１の外径と同じか若干大きく形成されている。
【００４２】
ゴムホース１に弾性プロテクター２を装着するには、まず上述のようにプロテクター組付機３０のプロテクター挿入部３１ｂに弾性プロテクター２の一方の端部をリミットスイッチ３４のところまで挿入して取り付ける。プロテクター挿入部３１ｂの内径は弾性プロテクター２の外径と同じか若干大きいので弾性プロテクター２はプロテクター挿入部３１ｂに容易に挿入され、空気による拡径により確実に保持される。
【００４３】
次に、ホース挿入治具４０にゴムホース１を取付ける。ホース挿入治具４０のホース内挿入部４１の先端にゴムホース１を挿入して、ゴムホース１の先端を第２頭部４４まで挿入して第１頭部４３の端面に当接するまで挿入する。ホース端取付頭部４２の第２頭部４４の外径は、ゴムホース１の内径と同じか若干大きいためゴムホース１の端部はホース挿入治具４０に確実に装着される。このとき、ゴムホース１が曲がり部を有していても、ホース内挿入部４１により矯正されて略直線状となり、弾性プロテクター２内に挿入することができる。
【００４４】
次に、ゴムホース１はホース挿入治具４０とともに弾性プロテクター２の他方の端部に、ホース挿入治具４０のホース端取付頭部４２の側から挿入する。このとき、プロテクター組付機３０の挿入穴３１の空気吹込口３３から空気が挿入穴３１に吹き込まれるため、弾性プロテクター２の一方の端から弾性プロテクター２内に空気が吹き込まれて、弾性プロテクター２が拡径される。そして、ホース挿入治具４０とともにゴムホース１は弾性プロテクター２内を通り挿入されて、プロテクター組付機３０の挿入穴３１内に達する。
【００４５】
ホース挿入治具４０のホース端取付頭部４２が、挿入穴３１のリミットスイッチ３４に達すると、リミットスイッチ３４が働き、空気の送風圧力を低下させる。これによって空気の抵抗が低下して、ホース端取付頭部４２が挿入穴３１の奥のホース挿入部３１ａまで挿入されることができる。なお、リミットスイッチ３４には、ホース端取付頭部４２が所定位置に達したことを感知することができる、各種の感知スイッチを使用することができる。
【００４６】
リミットスイッチ３４を通過したホース端取付頭部４２が、挿入穴３１の底部３２に達すると、空気の送風を止めて、ゴムホース１と弾性プロテクター２とホース挿入治具４０
を一緒に取り出し、ホース挿入治具４０から弾性プロテクター２を装着されたゴムホース１を取り外して、弾性プロテクター２の装着作業が完了する。このとき、上述のように弾性プロテクター２の内径は、ゴムホース１の外径より小さいため、弾性プロテクター２がゴムホース１を強く把持して、曲がり分を有するゴムホース１においてもずれることなく装着される。この装着された状態を図６に示す。
【００４７】
このとき、プロテクター組付機３０のホース挿入部３１ａの長さを変化させることにより、ゴムホース１への弾性プロテクター２の装着位置を管理することができる。
【００４８】
なお、本発明は例えば自動車用、土木機械用、大型機械用等に使用されるゴムホースに広く使用することができる。弾性プロテクター２は、ゴムホース１の柔軟性を損なわずに弾性を有する材料で成形され、例えば加硫されたスポンジゴム、加硫されたソリッドゴム、熱可塑性エラストマー、軟質合成樹脂等を使用することができる。
【図面の簡単な説明】
【００４９】
【図１】本発明の実施の形態であるプロテクター組付機の要部の断面図である。
【図２】本発明の実施の形態であるホース挿入治具の要部の平面図である。
【図３】本発明の他の実施の形態であるプロテクター組付機の要部の断面図である。
【図４】本発明の他の実施の形態であるホース挿入治具の要部の平面図である。
【図５】本発明により製造された直線状のプロテクター付ゴムホースの平面図である。
【図６】本発明により製造された曲がり部を有するプロテクター付ゴムホースの平面図である。
【符号の説明】
【００５０】
１  ゴムホース
２  弾性プロテクター
１０、３０  プロテクター組付機
１１  プロテクター取付部
１２  ホース挿入路
１３  空気噴出し部
１４  スペーサー取付部
１５  スペーサー
１６  ホース挿入口
２０、４０  ホース挿入治具
２１、４１  ホース内挿入部
２２  手持部
３１  挿入穴
３２  底部
３３  空気吹込口
３４  リミットスイッチ
４２  ホース端取付頭部
４３  第１頭部
４４  第２頭部
【図１】
2005118999.tif 000003
【図２】
2005118999.tif 000004
【図３】
2005118999.tif 000005
【図４】
2005118999.tif 000006
【図５】
2005118999.tif 000007
【図６】
2005118999.tif 000008